(57)【特許請求の範囲】
【請求項１】
表面側が露光面となるカバーシートと、このカバーシートの裏面側に対面して配置されたベースシートと、カバーシートとベースシートとの間に設けられた感光層と、該カバーシートの少なくとも前面に露光面の外周縁を取り囲むように貼付され、露光範囲を規定する外枠シートとを備えたモノシートタイプのインスタントフイルムユニットを挟み込んで搬送し、現像液が内包された現像液ポッドを裂開して、前記感光層の上に現像液を展開する展開ローラ対を備えるインスタントフイルムユニット用現像液展開装置において、
前記展開ローラ対と、前記インスタントフイルムユニットが収納された収納ケースのフイルム出口との間に、インスタントフイルムユニットの幅方向に沿うように配置され、かつ外枠シートに干渉しない幅寸法を有する板状の部材である展延制御部材を設け、
この展延制御部材の先端で搬送中のインスタントフイルムユニットの一方の面を搬送方向に垂直な方向から押圧し、該搬送方向において略Ｓ字状にインスタントフイルムユニットを屈曲させて、カバーシートとベースシートとの間の現像液の分布を制御し、
前記展開ローラ対の一方の展開ローラに、インスタントフイルムユニットを押圧する展延部と、この展延部の両端に配され、展延部よりも径が細くされた第１細径部と、この第１細径部と展延部との間をつなぐテーパー部と、第１細径部の外側に配置され、第１細径部よりも径が太くされた第２細径部を設け、
前記第２細径部と他方の展開ローラとでインスタントフイルムユニットの外枠シートの部分を挟み込んで搬送し、展延部と他方の展開ローラとでインスタントフイルムユニットを挟み込んで現像液を展開し、第１細径部と他方の展開ローラとの間に展延部で展開された現像液が流れ込む隙間を形成することを特徴とするインスタントフイルムユニット用現像液展開装置。
【発明の詳細な説明】
【０００１】
【発明の属する技術分野】
本発明は、インスタントフイルムユニットの現像液ポッドを裂開し、現像液を感光層に展開する現像液展開装置に関するものである。
【０００２】
【従来の技術】
モノシートタイプのインスタントフイルムユニットと、このインスタントフイルムユニットを使用するカメラやプリンタが各種販売されている。インスタントフイルムユニットは、表面側が露光面となるカバーシートと、このカバーシートの裏面側に対面して配置されたベースシートと、これらカバーシートとベースシートとの間に設けられた感光層及び受像層と、現像液ポッド，トラップ部等からなる。インスタントフイルムユニットは、プリント画像の形成方法によって透過式と反射式とに分けられ、透過式では、感光層に形成された潜像がベースシートの内面にポジ像として形成され、露光面とポジ像形成面とが異なる面とされている。また、反射式では、感光層に形成された潜像が内蔵する反射層で反射され、露光面とポジ像形成面とが同一の面となる。
【０００３】
インスタントフイルムユニットは、複数枚が箱形状のケースに光密に収められた状態でフイルムパックとして販売されており、カメラやプリンタにはフイルムパックごと装填される。このインスタントフイルムユニットを使用するカメラやプリンタには、インスタントフイルムユニットの感光層に被写体光を露光した後に、露光済みのインスタントフイルムユニットを機器外に排出し、その途中で現像液ポッド内の現像液を感光層上に展延して現像を行う現像液展開装置が組み込まれている。
【０００４】
また、インスタントフイルムユニットには、現像時に現像液がカバーシートとベースシートとの間から外部に漏れ出るのを防止するために、カバーシートとベースシートとの間の両側辺にスペーサーを挟み込んでいるものがある。
【０００５】
【発明が解決しようとする課題】
上記スペーサー内蔵タイプのインスタントフイルムユニットは、微小な気泡の残存やその他の原因で、感光層上の隅々まで現像液が行き渡らず、その部分に黒色の点等が発生してプリント画質を劣化させるという問題があった。この問題を解決するために、スペーサーの代わりに、カバーシートとベースシートとの外周を覆う外枠シートを用いたインスタントフイルムユニットがある。この外枠タイプのインスタントフイルムユニットは、隅々まで現像液を展延することができ、またローコストに製造することができる。
【０００６】
しかしながら、本出願人によって商品化されているインスタントフイルムユニットは、スペーサー内蔵タイプのインスタントフイルムユニットが主流であり、現像液展開装置もスペーサー内蔵タイプのインスタントフイルムユニットに適化されているため、外枠シートを用いたインスタントフイルムユニット、及び該フイルムユニットに適した現像液展開装置の供給が望まれていた。
【０００７】
本発明は、上記課題を解決するためのもので、外枠シートを用いたインスタントフイルムユニットに適した現像液展開装置を提供することを目的とする。
【０００８】
【課題を解決するための手段】
上記問題点を解決するために、本発明のインスタントフイルムユニット用現像液展開装置は、展開ローラ対の一方の展開ローラに、インスタントフイルムユニットを押圧する展延部と、この展延部の両端に配され、展延部よりも径が細くされた第１細径部と、この第１細径部と展延部との間をつなぐテーパー部と、第１細径部の外側に配置され、第１細径部よりも径が太くされた第２細径部を設け、第２細径部と他方の展開ローラとでインスタントフイルムユニットの外枠シートの部分を挟み込んで搬送し、展延部と他方の展開ローラとでインスタントフイルムユニットを挟み込んで現像液を展開し、第１細径部と他方の展開ローラとの間に、展延部で展開された現像液が流れ込む隙間を形成するようにしたものである。
【０００９】
また、展開ローラ対と、インスタントフイルムユニットが収納された収納ケースのフイルム出口との間に、インスタントフイルムユニットの幅方向に沿うように配置され、かつ外枠シートに干渉しない幅寸法を有する板状の部材であって、その先端で搬送中のインスタントフイルムユニットの一方の面を該搬送方向に垂直な方向から押圧して屈曲させ、カバーシートとベースシートとの間の現像液の分布を制御する展延制御部材を設けたものである。
【００１０】
更に、展延制御部材の幅寸法を外枠シートに干渉しないようにし、より現像液の展延制御を効果的に行えるようにしたものである。
【００１１】
【発明の実施の形態】
図２は、本発明の現像液展開装置を用いたインスタントカメラの外観を示す斜視図である。インスタントカメラ２は、正面から見て略矩形形状とされており、背面側から複数枚のインスタントフイルムユニット（以下、フイルムユニットと省略する）が収納されたフイルムパックが装填される。インスタントカメラ２の前面中央部には、撮影レンズ３が組み込まれたレンズ鏡筒４が設けられている。このレンズ鏡筒４は、カメラ本体５に対して前面側に突出する位置と、カメラ本体５内に沈胴する位置との間で移動自在とされており、不使用時のインスタントカメラ２の携帯性が向上されている。また、インスタントカメラ２は、赤外光アクティブ方式のオートフォーカス機構を用いており、レンズ鏡筒４の前面には撮影レンズ３の他に、測距装置を構成する投光窓７及び受光窓８と、測光装置を構成する測光窓９とがそれぞれ設けられている。これらの窓７〜９の奥には、投光素子，受光素子が組み込まれている。
【００１２】
インスタントカメラ２の一方の側面にはグリップ１１が一体に形成されており、このグリップ１１の上部にはシャッタボタン１２が設けられている。シャッタボタン１２は２段階の深さに押下することができ、半押し時に測距及び測光が行われ、深く押し込むことによりシャッタレリーズが行われる。
【００１３】
インスタントカメラ２の側面上方に設けられたファインダー１４で撮影範囲を確認し、シャッタボタン１２を半押しすると、前述した投光窓７及び受光窓８、測光窓９を通して測距と測光とが行われる。シャッタボタン１２を深く押し込むと、測距値，測光値に基づいてレンズ鏡筒４内に組み込まれたシャッタ装置がレリーズ動作を行う。また、被写体の輝度が低い場合には、レンズ鏡筒４の上方に配置されたストロボ発光部１５から被写体に向けて自動的にストロボ発光が行われる。撮影後には、インスタントカメラ２の上面に形成されたスリット形状のフイルム排出口１６から、現像中のフイルムユニット１７が排出される。
【００１４】
インスタントカメラ２の要部断面図である図３に示すように、カメラ本体５は、フイルムパック１９が装填されるフイルムパック室２０が背面側に形成され、各種撮影機能部品が取り付けられる本体基部２１と、この本体基部２１の前面側と背面側とを覆う前カバー２２及び後カバー２３とから構成されている。後カバー２３には、フイルムパック室２０を開閉する板形状の蓋部材２４がヒンジ２５を介して取り付けられている。
【００１５】
本体基部２１の前面側には、撮影レンズ３からフイルムパック１９までの間の撮影光路を遮光する暗箱部２７が設けられている。この暗箱部２７とフイルムパック室２０との間には、撮影開口２８が形成されている。
【００１６】
図３及び図４に示すように、フイルムパック４は、箱形状に形成されたプラスチック製のケース３０と、このケース３０の中に複数枚が積層して収納されるフイルムユニット１７とから構成されている。透過式外枠式のフイルムユニット１７の露光面側を表す図５（Ａ）及び、フイルムユニット１７のポジ像形成面側を表す同図（Ｂ）に示すように、フイルムユニット１７は、インスタントカメラ２によって画像が露光される露光面３１と、この露光面３１の反対側の面に設けられてポジ画像が形成されるポジ像形成面３２と、これら露光面３１とポジ像形成面３２との上方に配置され、現像液を封入した現像液ポッド３３と、露光面３１とポジ像形成面３２との下方に配置され、余った現像液を吸収するトラップ部３４とを備えている。
【００１７】
フイルムユニット１７のＡ−Ａ断面である図６に示すように、露光面３１側は、透明なプラスチックフイルムで形成された露光側カバーシート３６の内面に感光層３７が形成されている。そのため、露光面３１側から露光を行うことによって、露光側カバーシート３６を介して感光層３７に光化学的に潜像が形成される。また、ポジ像形成面３２側の透明なプラスチックフイルムで形成されたベースシートである受像側カバーシート３８の内面には、反射層を含む受像層３９が形成されている。
【００１８】
現像液ポッド３３は、略袋形状に形成されたポッドカバー４１と、このポッドカバー４１内に内包される現像液４２とからなり、ポッドカバー４１の露光側カバーシート３６と受像側カバーシート３８とに対面する一辺４１ａは、軟接着されている。これにより、現像液ポッド３３が押圧されるとポッドカバー４１の接着部分４１ａが剥がれ、その部分から流出した現像液４２が露光側カバーシート３６と受像側カバーシート３８との間に流れ込み、現像を行う。トラップ部３４は、現像液４２を吸収しやすい素材で形成された吸収パッド４４からなる。この吸収パッド４４は、露光側カバーシート３６と受像側カバーシート３８との一辺に対面する位置で、現像液ポッド３３の反対側に配置される。
【００１９】
フイルムユニット１７は、上記露光側カバーシート３６，受像側カバーシート３８，ポッドカバー４１，吸収パッド４４が遮光性を有する薄肉のプラスチックシートで形成された外枠シート４６によって包み込まれることで形成されている。この外枠シート４６は、各部材を包み込んで保持するとともに、露光面３１とポジ像形成面３２とを露呈させる開口である露光枠４７とポジ像形成枠４８とを形成する。露光枠４７は、露光面３１への露光範囲を規定し、ポジ像形成枠４８はポジ像の観察範囲を規定する。
【００２０】
従来のフイルムユニットでは、フイルムユニットの幅方向から現像液が流出しないようにするために、露光面の幅方向と上下方向の側方にスペーサを内蔵させていた。しかしながら、外枠シート４６を用いたフイルムユニット１７では、図５（Ａ）のＢ−Ｂ断面である図７に示すように、フイルムユニット１７の幅方向の端縁を外側から包み込むようにして現像液４２がフイルムユニット１７外に流れ出るのを阻止しているため、スペーサーを組み込む必要がなく、フイルムユニット１７をローコストに製造することができる。
【００２１】
ケース３０の前面には、収納したフイルムユニット１７の露光面３１を露呈させる開口３０ａが形成されている。また、ケース３０の上面には、撮影済みのフイルムユニット１７をケース３０外に排出するスリット形状のフイルム出口５０が設けられている。このフイルム出口５０は、フイルムパック１９が未使用の際には、柔軟性のある遮光シール５１（図１参照）によって塞がれている。
【００２２】
未使用時のフイルムパック１９の開口３０ａは、複数枚のフイルムユニット１７とともにケース３０内に納められる板状の遮光カバー５３によってケース３０の内側から遮光される。遮光カバー５３は、フイルムパック１９がインスタントカメラ２のフイルムパック室２０に装填され、最初にシャッタレリーズが行われた際に、インスタントカメラ２の上面のフイルム排出口１６から排出される。その際に、フイルム出口５０を塞ぐ遮光シール５１の貼着力の弱い部分を剥がして、フイルム出口５０を開放する。
【００２３】
ケース３０の開口３０ａの下部には、詳しくは図示しないが、周知のクロー部材５５が入り込む切欠５６が設けられている。クロー部材５５は、クロー機構５７によって駆動され、切欠５６内に入り込んだ状態で下方から上方に向けて移動し、ケース３０内の最前列にあるフイルムユニット１７の下端に当接する。そして、そのまま上方に移動することにより、フイルムユニット１７をケース３０内において上方に押し上げ、ケース３０のフイルム出口５０からフイルムユニット１７の先端を送り出す。クロー機構５７は、モータ５８に連結された減速ギヤ５９の回転運動を上下方向のスライド運動に変換して、クロー部材５５を上下方向でスライド移動させる。モータ５８は、クロー機構５７の駆動とともに、後述する展開ローラ対６１の駆動にも利用されている。
【００２４】
ケース３０の背面内壁には、中央部分に突条形状の押し上げ突起６３が形成されている。この押し上げ突起６３は、フイルムユニット１７の背後に配置された遮光シート６４，６５を介してフイルムユニット１７を前方に押圧し、最前列のフイルムユニット１７に平面性を与える。また、ケース３０の背面には、押し上げ突起６３を挟むようにして２個の穴６６，６７が形成されている。これらの穴６６，６７は、フイルムパック１９がインスタントカメラ２のフイルムパック室２０に装填されて蓋部材２４が閉じられた際に、蓋部材２４の内壁面に設けられた押し上げ部材６８，６９が入り込むためのものである
【００２５】
押し上げ部材６８，６９は、特開平７−２４４３３６号に記載されているように、フイルムユニット１７の厚み方向で移動自在とされた押圧部６８ａ，６９ａ，をバネの付勢力によってフイルムユニット１７に押し付け、ケース３０内の最前列のフイルムユニット１７に平面性を付与する。なお、押し上げ部材６８，６９が入り込む穴６６，６７は、フイルムパック１９が未使用時の際には、遮光シート６４，６５によって光密に塞がれている。
【００２６】
図１及び図８に示すように、フイルムパック室２０の上面には、フイルムパック室２０から撮影済みのフイルムユニット１７を送り出すスリット形状のフイルム送出口７１が形成されている。このフイルム送出口７１は、フイルムパック１７のフイルム出口５０よりもインスタントカメラ２の前面側にずれた位置に配置されている。フイルム送出口７１を構成する一片は、フイルムユニット１７のポジ像形成面３２に摺接して、現像液ポッド３３から露光側カバーシート３６と受像側カバーシート３８との間に流し込まれた現像液４２の展延を制御する展延制御部材７２となっている。
【００２７】
展延制御部材７２の先端部は、フイルムユニット１７のポジ像形成面３２に傷を付けないような滑らかな円弧形状とされている。また、ケース３０のフイルム出口５０よりも、インスタントカメラ２の前面側にずれて配置されたフイルム送出口７１にフイルムユニット１７を送り込むために、展延制御部材７２の先端部には、フイルムユニット１７をフイルム送出口７１に向けてガイドする斜面が形成されている。
【００２８】
展延制御部材７２の幅Ｅは、フイルムユニット１７のポジ像形成面３２の幅Ｆよりも小さく設定されており、フイルムユニット１７の外枠シート４６に接触せずに、感光層３７に現像液４２を展延できるようになっている。
【００２９】
フイルム送出口７１の上部には、展開ローラ対６１が配置されている。この展開ローラ対６１は、互いに反対方向に回転してフイルムパック室２０から送り出されたフイルムユニット１７をニップし、上方のフイルム排出口１６に向けて搬送する。その際に、フイルムユニット１７の現像液ポッド３３を裂開して現像液４２を露光側カバーシート３６と受像側カバーシート３８との間に流し込むとともに、全域に行き渡るように展延する。
【００３０】
展開ローラ対６１は、フイルムユニット１７のポジ像形成面３２に対面する第１展開ローラ７４と、露光面３１に対面する第２展開ローラ７５とからなる。第２展開ローラ７５の一端には駆動ギヤ７６が設けられており、この駆動ギヤ７６に噛合された減速ギヤトレイン５９を介して、第２展開ローラ７５はモータ５８により図中時計方向に回転される。また、第２展開ローラ７５の駆動ギヤ７６の近傍には伝達ギヤ７７が設けられており、この伝達ギヤ７７は第１展開ローラ７４の一端に設けられた従動ギヤ７８に噛合する。これにより、第１展開ローラ７４は、第２展開ローラ７５と反対の反時計方向に従動回転する。
【００３１】
また、第１展開ローラ７４は、フイルムユニット１７の厚み方向において移動自在とされており、バネ８０の付勢によって第２展開ローラ７５に押し付けられている。これにより、展開ローラ対６１はフイルムユニット１７を適正に押圧することができ、現像液４２を均一に展延することができる。
【００３２】
なお、本実施形態において第２展開ローラ７５移動されないようにしているのは、展延制御部材７２がフイルムユニット１７を第２展開ローラ７５側に押し付けた状態で、フイルムユニット１７と展延制御部材７２との摺接状態（摺接位置，圧力等）及び、フイルムユニット１７がフイルム出口５０と展開ローラ対６１との間で形成される屈曲形状を一定に維持するためであり、展延制御部材７２の効果を安定して得ることができる。
【００３３】
また、第１展開ローラ７４は、中央部に形成されてフイルムユニット１７のポジ像形成面３２を押圧する展延部８２と、この展延部８２の両端に形成された細径部８３とからなる。細径部８３は、展延部８２よりも直径が細くされており、図９に示すように、１２展開ローラ７４の中央寄りに配置された第１細径部８３ａと、この第１細径部８３ａの外側に配置された第２細径部８３ｂとからなる。展延部８２の直径Ｄと、第１細径部８３ａの直径Ｄ１と、第２細径部８３ｂの直径Ｄ２との関係は、Ｄ＞Ｄ２＞Ｄ１となっており、ＤとＤ１との半径分の差Ｇ１は、フイルムユニット１７の外枠シート４６の厚みｔと等しく、Ｄ２とＤ１との差Ｇ２は、現像液４２の適正な展延厚さと同じとされている。
【００３４】
さらに、第１展開ローラ７４及び第２展開ローラ７５の長さＨは、フイルムユニット１７の幅Ｊとほぼ等しくされており、第１展開ローラ７５の展延部８２の幅Ｋは、フイルムユニット１７のポジ像形成面３２の幅Ｆよりも若干小さくされている。また、第１細径部８３ａの長さＬ１と第２細径部５３ｂの長さＬ２とを合わせた長さＬは、外枠シート４６の幅Ｍと等しくされている。展延部８２と第１細径部８３ａとが連なる部分には、テーパー部８４が形成されている。
【００３５】
上述したように第１展開ローラ７４に細径部８３を設けることによって、図１０に示すように、外枠シート４６に覆われたフイルムユニット１７の幅方向の端縁が、第２細径部８３ｂと第２展開ローラ対７５とに挟み込まれる。これにより、第１展開ローラ７４の展延部８２と第２展開ローラ７５との間には、フイルム１７を挟み込んだ状態で現像液４２の展延に適した隙間が形成される。また、展延部８２は、外枠シート４６に阻害されずにポジ像形成面３２に接触するため、現像液４２の展延効果を向上させることができる。
【００３６】
更に、第１細径部８３ａを第２細径部８３ｂよりも細くしたことから、第１細径部８３ａと第２展開ローラ７５との間には、フイルムユニット１７を挟み込んだ状態で外枠シート４６の厚み分の隙間が形成されることになる。これにより、この隙間に現像液４２が流れ込むことができるようになるため、現像液４２をポジ像形成枠の端部まで確実に流し込むことができ、端部までプリント画質を適正に維持することができる。
【００３７】
また、展延部８２と第１細径部８３ａとが連なる部分には、テーパー部８４を形成したので、フイルムユニット１７の受像側カバーシート３８と受像層３９とが滑らかに湾曲され、応力集中によって受像側カバーシート３８に亀裂等を生じさせない作用、及び現像液を露光枠４７とポジ像形成枠４８との周縁部外側深くまでゆきわたらせる作用をなす。
【００３８】
また、展延制御部材７２の先端部は、展開ローラ対６１の第１展開ローラ７４と第２展開ローラ７５との接触位置のほぼ真下になる位置に配置されている。これにより、展開ローラ対６１と、展延制御部材７２と、ケース３０のフイルム出口５０の端縁とにフイルムユニット１７が接触するため、フイルムユニット１７は緩やかなＳ字形状に屈曲されることになる。そして、フイルムユニット１７と展延制御部材７２との摺接力の安定化とあいまって、現像液４２の展延厚さを一層鈞一とし、かつ維持する効果を得ることができる。
【００３９】
また、展開ローラ対６１を通過したフイルムユニット１７をフイルム排出口１６まで導くフイルム通路８５は、インスタントカメラ２の前面側に向けて傾斜されている。これにより、フイルムユニット１７の現像処理液ポッド３３と第２展開ローラ７５との接触面積が増加するため、第２展開ローラ７５による現像液４２の展延効果が向上する。
【００４０】
なお、展開ローラ対６１は、寸法誤差を少なくするために硬質の鉄鋼材を用いて形成されている。また、第１展開ローラ７４の展延部８２の長さＫや、展延制御部材７２の幅Ｅ，第１展開ローラ７４の中心から展延制御部材７２の先端までの長さＮ等は、フイルムユニット１７のサイズや性質等に合わせて、任意に設定することができる。
【００４１】
次に、上記実施形態の作用について説明する。図２で示すインスタントカメラ２で撮影を行う際には、まず電源スイッチを操作してインスタントカメラ２の電源をオンする。その後、ファインダ１４で撮影範囲を確認し、シャッタボタン１２を半押しすると、レンズ鏡筒４の前面に設けられた投光窓７及び受光窓８、測光窓９を通して測距と測光とが行われる。シャッタボタン１２を深く押し込むと、測距値，測光値に基づいてレンズ鏡筒４内に組み込まれたシャッタ装置がレリーズ動作を行う。また、被写体の輝度が低い場合には、レンズ鏡筒４の上方に配置されたストロボ発光部１５から被写体に向けて自動的にストロボ発光が行われる。
【００４２】
撮影レンズ３を透過した被写体光は、図３に示す暗箱部２７，撮影開口２８，開口３０ａ，露光枠４７を通過してフイルムユニット１７の露光面３１に露光される。露光面３１に露光された被写体光は、図６及び図７に示すように、露光側カバーシート３６の内面に形成された感光層３７に光化学的に潜像を形成する。
【００４３】
シャッタ装置のレリーズ動作が終了すると、図４に示すクロー部材５６が、モータ５８の回転によって駆動されるクロー機構５７によって下方から上方に向けて移動し、ケース３０の前面に形成された切欠５６内に入り込む。その際に、最前列にあるフイルムユニット１７の下端に当接し、そのまま上方に移動することによりフイルムユニット１７をケース３０内において上方に押し上げる。
【００４４】
ケース３０内でフイルム出口５０から送り出されたフイルムユニット１７は、遮光シール５１を剥がしてケース３０から排出され、展延制御部材７２の先端下面に形成された斜面にガイドされてフイルムパック室２０のフイルム送出口７１に向かう。フイルム送出口７１から送り出されたフイルムユニット１７は、モータ５８によって回転される展開ローラ対６１に挟み込まれ、上方のフイルム排出口１６に向けて搬送される。
【００４５】
この搬送中に、図８に示すように、フイルムユニット１７の現像液ポッド３３が展開ローラ対６１によって押圧され、現像液ポッド３３を構成するポッドカバー４１の接着部分４１ａが剥がれる。これにより、現像液４２がポッドカバー４１から流れだす。
【００４６】
現像液ポッド３３から流れ出た現像液４２は、展開ローラ対６１の押圧によって、露光側カバーシート３６と受像側カバーシート３８との間に流し込まれる。また、展開ローラ対６１を通過したフイルムユニット１７は、インスタントカメラ２の前面に向けて傾斜されたフイルム通路８５に送り込まれる。これにより、フイルムユニット１７の現像液ポッド１７と第２展開ローラ７５との接触面積が広くなるため、展開ローラ対６１による現像液の展延効果が向上する。
【００４７】
露光側カバーシート３６と受像側カバーシート３８との間に流し込まれた現像液４２は、展開ローラ対６１によって展延される前に、フイルムユニット１７のポジ像形成面３２に摺接する展延制御部材７２によって均一に感光層３７に展延される。展延制御部材７２は、インスタントカメラ２を構成する本体基部２１に一体に形成されており、フイルムユニット１７を展延制御部材７２に押し付ける第２展開ローラ７５は本体基部２１に固定されているため、フイルムユニット１７と展延制御部材７２との摺接状態は常に一定となり、安定した現像液４２の展延効果を得ることができる。また、展延制御部材７２は、フイルムパック室２０と一体に設けられており、しかもフイルム送出口７１を構成するようにしたので、インスタントカメラ２を大型化させたり、コストアップすることなく採用することができる。
【００４８】
フイルムユニット１７の露光面３１及びポジ像形成面３２が展開ローラ対６１に達すると、図１及び図１０に示すように、第１展開ローラ７４の展延部８２が外枠シート４６のポジ像形成枠４８内に入り込み、ポジ像形成面３２を直接に押圧する。また、第１展開ローラ７４の第２細径部８３ｂと第２展開ローラ７５とが、フイルムユニット１７の外枠シート４６に覆われた端部を挟み込んで搬送する。これにより、展延部８２と第２展開ローラ７５との間に、フイルムユニット１７を挟み込んだ状態で現像液４２の展開に必要な隙間が形成される。また、第１細径部８３ａと第２展開ローラ７５との間には、現像液４２が流れ込むだけの隙間が形成されるため、感光層３７には現像液４２が均一に展開される。
【００４９】
感光層３７に現像液４２が展延されると、感光層３７に形成された潜像が反射層を介して受像層３９に転写され、受像層３９が現像，定着される。フイルム通路８５を通過したフイルムユニット１７は、フイルム排出口１６を介してインスタントカメラ２の外に排出される。フイルムユニット１７のポジ像形成面３２には、一定時間後画像が表れる。フイルムユニット１７の現像液ポッド３３に内包された現像液４２は、展延制御部材７２と展開ローラ対６１とによって均一に感光層３７に展延されるため、プリント画質が向上する。
【００５０】
なお、上記実施形態では、フイルムパック室のフイルム送出口を構成する一片に展延制御部材を形成したが、フイルムパック室内、あるいはフイルムパック室外等、展開ローラ対が取り付けられる部品に別に設けてもよい。
【００５１】
また、透過型のインスタントフイルムユニットを例に説明したが、外枠シートを用いた反射型インスタントフイルムユニットにも本発明の現像液展開装置を用いることができる。
【００５２】
【発明の効果】
以上説明したように、本発明のインスタントフイルムユニット用現像液展開装置によれば、フイルム出口と展開ローラ対との間に、搬送されるインスタントフイルムユニットに摺接して略Ｓ字形状に屈曲させ、感光層での現像液の分布を制御する展延制御部材を設け、展開ローラ対のうち一方の展開ローラの両端に直径を細くした細径部を設け、外枠シートに阻害されずに現像液を展延できるようにしたので、感光層に現像液を均一に展延してプリント画質を向上させることができる。
【００５３】
また、細径部を更に２段階の太さに分け、それぞれの直径を利用してフイルムユニットを搬送するとともに、現像液の展開に必要な隙間を形成するようにしたので、複雑な機構やコストアップをせずに、より現像液の展開性能を向上させることができる。
【図面の簡単な説明】
【図１】本発明の現像液展開装置の現像液展開時の状態を示す要部断面図である。
【図２】本発明の現像液展開装置を用いたインスタントカメラの外観を示す斜視図である。
【図３】インスタントカメラの構成を示す要部断面図である。
【図４】現像液展開装置の構成を概略的に示す説明図である。
【図５】フイルムユニットの外観を示す斜視図である。
【図６】図５（Ａ）のＡ−Ａ断面図である。
【図７】図５（Ａ）のＢ−Ｂ断面図である。
【図８】現像液展開装置の現像液ポッド裂開時の状態を示す要部断面図である。
【図９】展開ローラ対の形状を示す平面図である。
【図１０】現像液展開時のフイルムユニットの状態を示す要部断面図である。
【符号の説明】
２  インスタントカメラ
１７  インスタントフイルムユニット
１９  フイルムパック
３１  露光面
３２  ポジ像形成面
３３  現像液ポッド
３４  トラップ部
４６  外枠シート
５０  フイルム出口
６１  展開ローラ対
７１  フイルム送出口
７２  展延制御部材
７４  第１展開ローラ
７５  第２展開ローラ
８３  細径部
【図１】
0003796056.tif 000002
【図２】
0003796056.tif 000003
【図３】
0003796056.tif 000004
【図４】
0003796056.tif 000005
【図５】
0003796056.tif 000006
【図６】
0003796056.tif 000007
【図７】
0003796056.tif 000008
【図８】
0003796056.tif 000009
【図９】
0003796056.tif 000010
【図１０】
0003796056.tif 000011